(57)【要約】      （修正有）【課題】パッド本体からの通気性の遮断や筒内部の粘着素材が鼻と頬の密着性を高める、すべらないマスクパッドと、それを有するマスクを提供する。【解決手段】不織布の裏面に絆創膏、マスキングテープ、粘着素材、等を貼付け、不織布を筒状に成形するとともに内部空間に柔軟部材４を配置することで凹凸部を形成し、装着時にマスクと頬の隙間を埋め、固定手段でマスクに後付するためのマスクパッド。【選択図】図３
2018024959.tif 000002
【特許請求の範囲】
【請求項１】
不織布の裏面に絆創膏、マスキングテープ、粘着素材、等を貼付け、その生地を筒状に成形した筒部と、綿、不織布、ウレタン、エアーキャップ、等の柔軟部材からなる、前記筒部の内部空間に、左右にそれぞれ少なくとも１箇所に配置された前記柔軟部材と、前記柔軟部材を置いた所と置いていない所を設けてできた凹凸部を有し、前記凹凸部により、マスクの装着時に、マスクと頬の隙間を埋め、両面テープや水ゲル等の固定手段でマスクに後付するためのマスクパッド。
【請求項２】
前記筒部には不織布表面が肌と直接接触し、前記筒部の裏面から浸透する前記粘着素材を適度に遮蔽しかつ前記筒部自体の通気を遮断することで、マスクの気密性を向上させ肌への負担を軽減し、肌に密着する請求項１に記載のマスクパッド。
【請求項３】
前記マスクを顔に装着した際、鼻の頂上部に当たる前記筒部の上下左右方向の中央には、前記柔軟部材が配置されず、空洞部でかつ歪みを逃がすスリット、切欠き溝や穴を１個以上有し、折返し時の前記空洞部から歪みによる隙間を解消する請求項１に記載のマスクパッド。
【請求項４】
請求項１、請求項２又は請求項３に記載のマスクパッドを有するマスク。
【発明の詳細な説明】
【技術分野】
【０００１】
本発明は、不織布を筒状に成形し内部に綿、不織布、スポンジ、エアーキャップ等の柔軟素材を用いてマスク裏面に後付し、従前のマスクに使用されているワイヤーの代替え機能や不快感を取除き、頬への圧迫を防ぎ安心して使用できる構造に関する。
【背景技術】
【０００２】
従前のマスクパッドは鼻の形状に関係なくパッドの形が固定されており、就寝時や長時間装着時に鼻から頬にかけて摺動し擦過傷や利用者の鼻の形状合わない等、利便性に欠け、敏感肌の方の圧迫痕や化粧品がマスクに移りマスクを外した時に痕が残る。
【０００３】
不織布を筒状に成形した筒部と、綿、不織布、ウレタン等の柔軟部材からなる、前記筒部の内部空間に、左右に  それぞれ少なくとも１箇所に配置された前記柔軟部材と、
前記柔軟部材を置いた所と置いていない所を設けてできた凹凸部を有し、前記凹凸部により、マスクの装着時に、マスクと頬の隙間を埋め、両面テープや水ゲル等の固定手段でマスクに後付するためのマスクパッド。
（特許文献１参照）
【先行技術文献】
【特許文献】
【０００４】
【特許文献１】特公２０１５−０４５３３９号
【発明の概要】
【発明が解決しようとする課題】
【０００５】
特公２０１５−０４５３３９号のマスクパッドの筒素材はマスク本体と同様の不織布を使用しており、その特性上通気性があり呼気が漏れる。
【０００６】
特公２０１５−０４５３３９号のマスクパッドは、マスク装着時に鼻の頂点部分で空間が潰れることで隙間を自動調整しているが、筒状から平面に変形し鼻の曲線に追従する時に内外面に湾曲差（歪み）が生じ、シワやたるみ  ができ隙間ができる。
【０００７】
すべらないマスクパッドは、マスクパッド本体からの通気性の遮断や筒内部の粘着素材が鼻と頬の密着性を高める事を目的としている。
【課題を解決するための手段】
【０００８】
すべらないマスクパッドは、マスクパッドの裏面に絆創膏、マスキングテープ、粘着素材、等を貼付け通気性を遮断する。
【０００９】
マスクパッドの中央部空間にスリット、切欠き溝や穴を設け、筒状から平面に変形し鼻の曲線に追従する時に内外面に湾曲差（歪み）を解消する。
【発明の効果】
【００１０】
通気性を遮断する事で、不織布の隙間かあら侵入する微細な異物の侵入する事ができ、花粉、PM2.5や感染症リスクを軽減する事が可能である。
【００１１】
呼気がマスク上部の隙間から抜ける事を防止できるので、メガネの曇り防止にも有効である。
【００１２】
筒内面から粘着特性が得られるので、特公２０１５−０４５３３９号のマスクパッドより肌に張り付き、マスクがズレ難くなる。
【００１３】
マスクパッドの中央部空間にスリット、切欠き溝や穴があり、筒状から平面に変形し鼻の曲線に追従する時に内外面の湾曲差（歪み）を解消することで、より密着性が向上し感染症のリスクを低減、メガネの曇り防止に有効である。
【図面の簡単な説明】
【００１４】
【図１】本発明に係る  すべらないマスクパッドに成る前の裏面である。
【図２】本発明に係る  すべらないマスクパットに成るシートを筒状にした図である。
【図３】本発明に係る  すべらないマスクパッドの正面図である。
【図４】本発明に係る  すべらないマスクパッドの横部図である。
【図５】本発明に係る  すべらないマスクパッドをマスク裏面に貼付けた図である。
【図６】本発明に係る  すべらないマスクパッドをマスクに貼付けた横部図である。
【図７】本発明に係る  すべらないマスクパッドをマスクに貼付け装着時した図である。
【発明を実施するための形態】
【００１５】
図１は、不織布の裏面に粘着素材を貼り付けた状態である。
【００１６】
図２は、前記素材を筒状にし、両端を両面テープで固定した状態である。
【００１７】
図３は、前記素材の内部に柔軟素材を左右１箇所に配置し、スリット、切欠き溝や穴を入れた状態である。
【００１８】
図４は、すべらないマスクパッドを横から見た図であり、筒の中は一部空洞で自由に変形する形状である。
【００１９】
図５は、マスク裏面に  すべらないマスクマッドを貼り付けた状態である
【００２０】
図６は、マスク裏面に  すべらないマスクマッドを貼付け、横部から見た状態である。
【００２１】
図７は、すべらないマスクパッドをマスク裏面に固定し正面上部から垂直方向に見た図であり、すべらないマスクパットの空洞部が柔軟部材を頂点に変形し、鼻とマスク、頬とマスクの隙間を筒が圧縮されて埋めるが、筒の内外面に湾曲差によって生じる歪みをスリット、切欠き溝や穴で解消する工夫が施してある。
【符号の説明】
【００２２】
１   不織布の生地裏面
１ａ 筒状の  すべらないマスクパッド本体にスリット、切欠き溝や穴を入れる前の状態を横から見た図である
２   絆創膏、マスキングテープ、粘着素材を１の不織布裏面に貼り付けた状態
３   両面テープ
４   柔軟素材
５   すべらないマスク本体裏面にスリット、切欠き溝や穴を入れた状態
６   すべらないマスクパッド本体
６ａすべらないマスクパッド本体を横から見た図である
７   マスク本体裏面上部に  すべらないマスクパッドを貼付けた状態
７ａマスク本体裏面上部に  すべらないマスクパッドを貼付け横から見た状態
８   楕円形に湾曲した  すべらないマスクパッド中央部の湾曲部に歪みが生じ、その歪みを符号５のスリット、切欠き溝や穴が歪みを開放し、鼻に柔軟素材の頂点部が隙間の最大深部に当たり一辺を鼻に、もう一辺を頬の隙間に無意識に触れる状態。
９   すべらないマスクパッドをマスク本体裏面上部に貼付け顔に装着した図である
【図１】
2018024959.tif 000003
【図２】
2018024959.tif 000004
【図３】
2018024959.tif 000005
【図４】
2018024959.tif 000006
【図５】
2018024959.tif 000007
【図６】
2018024959.tif 000008
【図７】
2018024959.tif 000009
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
不織布の裏面に粘着素材を貼付け、その生地を筒状に成形した筒部と、前記筒部の内部空間に、左右にそれぞれ少なくとも１箇所に配置された綿、不織布、ウレタン、エアーキャップ、等の柔軟部材と、前記柔軟部材を置いた所と置いていない所を設けてできた凹凸部を有し、前記凹凸部により、マスクの装着時に、マスクと頬の隙間を埋め、両面テープや水ゲル等の固定手段でマスクに後付するためのマスクパッド。
【請求項２】
前記筒部の表面は肌と直接接触し、前記筒部の内側面で粘着素材の付着した、のり面から表面へ浸透する前記粘着素材を適度に遮蔽しつつ肌に密着し、かつ前記筒部自体の通気を遮断することで、気密性を向上させた請求項１に記載のマスクパッド。